(57)【要約】【課題】筆記具による入力が行われる際のユーザが意図しないタッチ入力を効果的に抑制できる情報端末装置を提供する。【解決手段】情報端末装置１は、入力受付面３１ａを介してタッチ入力を受け付けるタッチパッドと、入力受付面３１ａを介してデジタイザペン２０による入力を受け付けるデジタイザセンサと、時間を計測するタイマーと、制御部と、を備える。ここで、制御部は、デジタイザペン２０が入力受付面３１ａから所定の距離範囲内であるホバリング圏内に位置する場合に、タッチパッドへのタッチ入力を無効とする無効設定を行い、無効設定がなされた後、デジタイザペン２０がホバリング圏内から外れると、タイマーを作動させ、デジタイザペン２０がホバリング圏内から外れたままタイマーによる計測時間が予め定めた猶予時間に到達する場合に、無効設定を解除する。【選択図】図５
2017091156.tif 000002
【特許請求の範囲】
【請求項１】
入力受付面を介してタッチ入力を受け付ける第１入力受付部と、
前記入力受付面を介して筆記具による入力を受け付ける第２入力受付部と、
時間を計測する計時部と、
制御部と、を備え、
前記制御部は、
前記筆記具が前記入力受付面から所定の距離範囲内に位置する場合に、前記第１入力受付部への前記タッチ入力を無効とする無効設定を行い、
前記無効設定がなされた後、前記筆記具が前記所定の距離範囲から外れると、前記計時部を作動させ、
前記筆記具が前記所定の距離範囲から外れたまま前記計時部による計測時間が予め定めた猶予時間に到達する場合に、前記無効設定を解除する、
ことを特徴とする情報端末装置。
【請求項２】
請求項１に記載の情報端末装置において、
前記猶予時間は、ユーザが、筆記する位置を変えようとして、一時的に前記筆記具を前記所定の距離範囲外に遠ざけた場合に、遠ざけられている間に前記計測時間が前記猶予時間に到達しないように設定される、
ことを特徴とする情報端末装置。
【請求項３】
請求項１に記載の情報端末装置において、
前記猶予時間は、ユーザが、考え事を行うために、一時的に前記筆記具を前記所定の距離範囲外に遠ざけた場合に、遠ざけられている間に前記計測時間が前記猶予時間に到達しないように設定される、
ことを特徴とする情報端末装置。
【請求項４】
請求項１または２に記載の情報端末装置において、
前記制御部は、前記計測時間が前記猶予時間に到達したとき、前記第１入力受付部が前記タッチ入力を受け付けていれば、前記無効設定を解除しない、
ことを特徴とする情報端末装置。
【請求項５】
請求項１または３に記載の情報端末装置において、
前記制御部は、前記計測時間が前記猶予時間に到達する前に所定の無効解除操作がなされると、前記無効設定を解除する、
ことを特徴とする情報端末装置。
【発明の詳細な説明】
【技術分野】
【０００１】
本発明は、手書き入力デバイスを備えた情報端末装置に関する。
【背景技術】
【０００２】
タブレット端末等の情報端末装置では、ペンによる入力および指等によるタッチ入力が可能なものが知られている。このような情報端末装置では、ペンによる入力が行われる際に、ペンを握った手により誤ってタッチ入力がなされることを防止するための構成が採られ得る。
【０００３】
たとえば、特許文献１に記載の情報入力処理装置では、タッチ入力を検出する感圧抵抗膜方式タブレットデバイスと、専用ペンによる入力を検出する電磁誘導方式タブレットデバイスとが、液晶ディスプレイを挟むようにして、重ねて設けられる。専用ペンが電磁誘導方式タブレットデバイスに近付くと、タッチ入力が無効とされ、専用ペンが電磁誘導方式タブレットデバイスから離れると、タッチ入力が有効とされる。
【先行技術文献】
【特許文献】
【０００４】
【特許文献１】特開平９−１３８７３０号公報
【発明の概要】
【発明が解決しようとする課題】
【０００５】
しかしながら、特許文献１の情報入力処理装置では、専用ペンが電磁誘導方式タブレットデバイスから離れたとの判定により、直ちにタッチ入力が有効とされる。このため、ユーザが、筆記する位置を変えようとして、一時的に専用ペンを電磁誘導方式タブレットデバイスから遠ざけた場合、あるいは、ユーザが、考え事を行うために、一時的に専用ペンを電磁誘導方式タブレットデバイスから遠ざけた場合など、ユーザが、専用ペンを用いた筆記を終える意図なく、一時的に専用ペンを電磁誘導方式タブレットデバイスから遠ざけた場合にも、タッチ入力が有効となり得る。
【０００６】
専用ペンで筆記する際には、専用ペンを握った手が抵抗膜方式タブレットデバイスに接触しやすい。よって、上記のように、ユーザが、一時的に専用ペンを電磁誘導方式タブレットデバイスから遠ざけた場合にも、専用ペンを握った手が抵抗膜方式タブレットデバイスに接触した状態となっている場合が考えられ、このような場合に、専用ペンを握った手による誤ったタッチ入力が有効に受け付けられてしまう虞がある。
【０００７】
そこで、本発明は、筆記具による入力が行われる際のユーザが意図しないタッチ入力を効果的に抑制できる情報端末装置を提供することを目的とする。
【課題を解決するための手段】
【０００８】
本発明の主たる態様に係る情報端末装置は、入力受付面を介してタッチ入力を受け付ける第１入力受付部と、前記入力受付面を介して筆記具による入力を受け付ける第２入力受付部と、時間を計測する計時部と、制御部と、を備える。ここで、前記制御部は、前記筆記具が前記入力受付面から所定の距離範囲内に位置する場合に、前記第１入力受付部への前記タッチ入力を無効とする無効設定を行い、前記無効設定がなされた後、前記筆記具が前記所定の距離範囲から外れると、前記計時部を作動させ、前記筆記具が前記所定の距離範囲から外れたまま前記計時部による計測時間が予め定めた猶予時間に到達する場合に、前記無効設定を解除する。
【０００９】
上記の構成によれば、筆記具が入力受付面に接近すると、入力受付面へのタッチ入力が無効化されるので、筆記具による筆記の際に筆記具を握った手による誤ったタッチ入力を有効に受け付けてしまう、という不具合を抑制できる。
【００１０】
さらに、上記の構成によれば、ユーザが、筆記具による筆記を終える意図なく、筆記具を一時的に入力受付面から遠ざけるような局面が生じた場合に、タッチ入力の無効設定が解除されてしまうことを抑制でき、筆記具による筆記の際に筆記具を握った手による誤ったタッチ入力を有効に受け付けてしまう、という不具合を一層抑制できる。
【００１１】
本態様に係る情報端末装置において、前記猶予時間は、ユーザが、筆記する位置を変えようとして、一時的に前記筆記具を前記所定の距離範囲外に遠ざけた場合に、遠ざけられている間に前記計測時間が前記猶予時間に到達しないように設定され得る。
【００１２】
上記の構成によれば、ユーザが、筆記する位置を変えようとして、筆記具を一時的に入力受付面から遠ざけるような局面が生じた場合に、筆記位置を移動させている間に筆記具を握った手による誤ったタッチ入力を有効に受け付けてしまう、という不具合を抑制できる。
【００１３】
本態様に係る情報端末装置において、前記猶予時間は、ユーザが、考え事を行うために、一時的に前記筆記具を前記所定の距離範囲外に遠ざけた場合に、遠ざけられている間に前記計測時間が前記猶予時間に到達しないように設定され得る。
【００１４】
上記の構成によれば、ユーザが、筆記の途中で考え事を行うために、筆記具を一時的に入力受付面から遠ざけるような局面が生じた場合に、考え事を行っている間に筆記具を握った手による誤ったタッチ入力を有効に受け付けてしまう、という不具合を抑制できる。
【００１５】
本態様に係る情報端末装置において、前記制御部は、前記計測時間が前記猶予時間に到達したとき、前記第１入力受付部が前記タッチ入力を受け付けていれば、前記無効設定を解除しないような構成とされ得る。
【００１６】
上記の構成によれば、計測時間が猶予時間に到達しても、そのときに筆記具を握った手が入力受付面に置かれた状態にあれば、置かれた手によるタッチ入力が第１入力受付部で受け付けられるため、タッチ入力の無効設定が解除されない。よって、ユーザが筆記中に考え事する局面において、誤ったタッチ入力が有効に受け付けられてしまう、という不具合を、一層抑制できる。
【００１７】
本態様に係る情報端末装置において、前記制御部は、前記計測時間が前記猶予時間に到達する前に所定の無効解除操作がなされると、前記無効設定を解除するような構成とされ得る。
【００１８】
上記の構成によれば、ユーザは、筆記具による筆記を終えた際、猶予時間の経過を待たなくとも、無効解除操作を行うことでタッチ入力の無効設定を解除できる。これにより、ユーザは、筆記具による筆記を終えた後、速やかにタッチ入力に移ることができる。
【発明の効果】
【００１９】
以上のとおり、本発明によれば、筆記具による入力が行われる際のユーザが意図しないタッチ入力を効果的に抑制できる情報端末装置を提供できる。
【００２０】
本発明の効果ないし意義は、以下に示す実施形態の説明により更に明らかとなろう。ただし、以下に示す実施形態は、あくまでも、本発明を実施化する際の一つの例示であって、本発明は、以下の実施形態に記載されたものに何ら制限されるものではない。
【図面の簡単な説明】
【００２１】
【図１】図１（ａ）は、実施形態に係る、情報端末装置の正面図であり、図１（ｂ）は、実施形態に係る、情報端末装置の断面を示す図である。
【図２】図２は、実施形態に係る、情報端末装置の構成を示すブロック図である。
【図３】図３は、実施形態に係る、タッチパッドがタッチ入力を受け付けた場合の処理を示すフローチャートである。
【図４】図４は、実施形態に係る、タッチ入力の無効設定・解除処理を示すフローチャートである。
【図５】図５（ａ）は、実施形態に係る、デジタイザペンによる入力が行われる際に、タッチ入力が無効化される様子を示す図であり、図５（ｂ）は、実施形態に係る、デジタイザペンによる入力が終了し、タッチ入力が有効化される様子を示す図である。
【図６】図６は、ユーザが筆記する位置を変えようとして、一時的にデジタイザペンを入力受付面から遠ざける局面について説明するための図である。
【図７】図７は、ユーザが、考え事を行うために、一時的にデジタイザペンを入力受付面から遠ざける局面について説明するための図である。
【図８】図８は、変更例１に係る、タッチ入力の無効設定・解除処理を示すフローチャートである。
【図９】図９は、変更例２に係る、タッチ入力の無効設定・解除処理を示すフローチャートである。
【発明を実施するための形態】
【００２２】
本実施形態は、情報端末装置の一種であるタブレット端末に本発明を適用したものである。本実施形態の情報端末装置は、教育用として利用されることが想定されている。なお、本発明は、タブレット端末に限らず、携帯電話機やノートパソコン等、他の種類の情報端末装置に適用されても良い。
【００２３】
図１（ａ）は、情報端末装置１の正面図であり、図１（ｂ）は、情報端末装置１の断面を示す図である。図１（ａ）、（ｂ）には、便宜上、互いに直交するＸＹＺ軸が示されている。Ｘ軸方向は、後述する入力受付面３１ａの短辺が延びる方向であり、Ｙ軸方向は、入力受付面３１ａの長辺が延びる方向であり、Ｚ軸方向は、入力受付面３１ａに垂直な方向である。
【００２４】
図１（ａ）、（ｂ）に示すように、情報端末装置１は、筐体１０と、デジタイザペン２０と、液晶／入力モジュール３０と、を備える。筐体１０には、デジタイザペン２０を収容するための収容部１１が設けられている。デジタイザペン２０のペン先（先端）２１には、巻線コイルとコンデンサが配されている。液晶／入力モジュール３０は、カバー３１と、液晶表示部３２と、タッチパッド３３と、デジタイザセンサ３４と、がＺ軸方向に重ねられた構成となっている。
【００２５】
カバー３１は、透明であり、筐体１０を覆っている。カバー３１の表側面（Ｚ軸正側の面）は、平坦な面である。タッチパッド３３とデジタイザセンサ３４に対する入力は、カバー３１の入力受付面３１ａを介して行われる。入力受付面３１ａは、カバー３１の表側面の中央部分に位置する矩形形状の面であり、タッチパッド３３とデジタイザセンサ３４における、入力を受付可能な領域に対応する。入力受付面３１ａは、縦横の長さが異なるように構成されている。
【００２６】
液晶表示部３２は、液晶パネルと、液晶パネルを照明するＬＥＤバックライトとを含み、各種の画像を表示する。なお、情報端末装置１には、液晶表示部３２以外の表示部、たとえば、有機ＥＬタイプの表示部が用いられてもよい。
【００２７】
タッチパッド３３は、透明であり、液晶表示部３２の表示面上に配され、入力受付面３１ａを介して指等による入力（以下、「タッチ入力」という）を受け付ける。タッチパッド３３は、静電容量式のタッチパッドである。タッチパッド３３は、タッチ入力が行われると、静電容量の変化に基づいてタッチ入力を検出し、タッチされた位置、即ちタッチ入力の位置を示す座標信号と、タッチされた領域の面積、即ちタッチ面積を示す面積信号とを出力する。座標信号と面積信号は、後述する制御部４０に対して、ハードウェア割り込みにより送信される。たとえば、タッチされた領域の面積重心がタッチ入力の位置とされる。なお、タッチパッド３３が、複数のタッチを同時に検出できる、いわゆるマルチタッチに対応したタッチパッドである場合、タッチパッド３３は、上記のような座標信号および面積信号を、タッチの数だけ出力する。
【００２８】
デジタイザセンサ３４は、液晶表示部３２の表示面下に配され、入力受付面３１ａを介してデジタイザペン２０による入力を受け付ける。デジタイザセンサ３４は、デジタイザペン２０とともに、電磁式のデジタイザを構成する。デジタイザセンサ３４には、各座標位置にセンサコイルが配されている。デジタイザセンサ３４は、一定周期で各センサコイルに交流電流を流す。
【００２９】
デジタイザペン２０のペン先２１がデジタイザセンサ３４に接近すると、デジタイザセンサ３４の各センサコイルに流れる交流電流によって、デジタイザペン２０の巻線コイルに誘導起電力が生じる。デジタイザペン２０では、この誘導起電力によって、巻線コイルとコンデンサからなるＬＣ共振回路に電流が流れる。こうして巻線コイルに電流が流れると、デジタイザセンサ３４側のセンサコイルのうち、デジタイザペン２０付近のセンサコイルに誘導起電力が生じる。デジタイザセンサ３４は、最も大きな誘導起電力が生じたセンサコイルを特定し、このセンサコイルの座標位置を示す座標信号を出力する。なお、図１（ｂ）に一点鎖線で示す、入力受付面３１ａから所定の距離範囲となる領域は、ホバリング圏を示し、このホバリング圏内にデジタイザペン２０が進入すると、デジタイザセンサ３４がデジタイザペン２０を検出可能となり、デジタイザセンサ３４の座標信号の出力が可能となる。
【００３０】
デジタイザペン２０は、ペン先２１が入力受付面３１ａに押し当てられると、デジタイザペン２０の内部に配された巻線コイルが縮むように構成されている。デジタイザペン２０が入力受付面３１ａに押し当てられることにより巻線コイルが縮むと、デジタイザセンサ３４のセンサコイルを流れる電流量が変化する。デジタイザセンサ３４は、この電流量の変化に応じて、デジタイザペン２０が接触したことを示す接触信号を出力する。デジタイザペン２０が入力受付面３１ａから離されると、巻線コイルの縮みが解消されるため、デジタイザセンサ３４のセンサコイルに流れる電流量が変化する。デジタイザセンサ３４は、この電流量の変化に応じて、デジタイザペン２０が離間したことを示す離間信号を出力する。
【００３１】
図２は、情報端末装置１の構成を示すブロック図である。
【００３２】
情報端末装置１は、図１（ａ）、（ｂ）に示した液晶表示部３２、タッチパッド３３、デジタイザセンサ３４およびデジタイザペン２０に加え、制御部４０および記憶部５０を備える。制御部４０および記憶部５０は、図１（ａ）に示す筐体１０内に収容されている。
【００３３】
制御部４０は、ＣＰＵ、タイマー４１等を含み、記憶部５０は、ＲＯＭ、ＲＡＭ、フラッシュメモリ等を含む。記憶部５０は、後述するタッチ入力の無効設定・解除処理のためのプログラムを含む各種のプログラムを記憶している。制御部４０は、情報端末装置１の各部から信号を受信し、記憶部５０に記憶されたプログラムに従って、情報端末装置１の各部を制御する。
【００３４】
タイマー４１は、制御部４０により制御され、時間を計測する。タイマー４１の計測時間が予め定められた猶予時間に到達すると、タイムアップとなり、タイムアップとなったことがタイマー４１から制御部４０に通知される。
【００３５】
さて、本実施形態の情報端末装置１では、入力受付面３１ａに対する指等によるタッチ入力がタッチパッド３３により受け付けられ、入力受付面３１ａに対するデジタイザペン２０による入力がデジタイザセンサ３４により受け付けられる。ユーザは、デジタイザペン２０を用いて、入力受付面３１ａに文字等を描くことができる。描かれた文字等は、液晶表示部３２において、描かれた位置に表示され、ユーザは、入力受付面３１ａを通じて、表示された文字等を見ることができる。このように、デジタイザペン２０による文字等の筆記を行う際、ユーザは、デジタイザペン２０を握った手を自然と入力受付面３１ａに置きやすく、置かれた手により誤ったタッチ入力が有効とされてしまう虞がある。
【００３６】
そこで、本実施形態の情報端末装置１では、以下に説明するとおり、デジタイザペン２０による入力が行われる際に、誤ったタッチ入力が有効とされてしまうことを防止する構成が採られている。
【００３７】
図３は、タッチパッド３３がタッチ入力を受け付けた場合の処理を示すフローチャートである。
【００３８】
タッチパッド３３がタッチ入力を受け付けると、制御部４０は、タッチ入力が無効化されているか否かを判定する（Ｓ１１）。タッチ入力が無効化されていなければ、即ち、有効化されていれば（Ｓ１１：ＮＯ）、制御部４０は、受け付けたタッチ入力に応じた処理を実行する（Ｓ１２）。たとえば、手書きアプリケーションが液晶／入力モジュール３０上で実行されており、タッチ入力が入力受付面３１ａを文字等の形状になぞるものである場合、制御部４０は、なぞった形状を液晶表示部３２に表示させる。
【００３９】
一方、タッチパッド３３がタッチ入力を受け付けたとき、タッチ入力が無効化されていれば（Ｓ１１：ＹＥＳ）、制御部４０は、受け付けたタッチ入力を無視する。
【００４０】
図４は、タッチ入力の無効設定・解除処理を示すフローチャートである。電源か投入されて情報端末装置１が起動すると、無効設定・解除処理が開始される。電源か遮断されて情報端末装置１が停止するまで、無効設定・解除処理が続けられる。
【００４１】
処理が開始されると、制御部４０は、タッチ入力を無効にする無効設定を解除することにより、タッチ入力を有効化する（Ｓ２１）。なお、開始当初から無効設定が解除されている場合、制御部４０は、その状態を継続させる。
【００４２】
次に、制御部４０は、デジタイザペン２０がホバリング圏内へ進入したか否かを監視する（Ｓ２２）。制御部４０は、デジタイザセンサ３４から座標信号が出力されると、デジタイザペン２０がホバリング圏内に進入したと判定する。デジタイザペン２０がホバリング圏内に進入すると（Ｓ２２：ＹＥＳ）、制御部４０は、タッチ入力の無効設定を行うことにより、タッチ入力を無効化する（Ｓ２３）。無効設定および無効設定の解除には、たとえば、無効フラグを用いることができる。無効フラグは、たとえば、記憶部５０に設けられる。制御部４０は、無効設定を行う場合に、無効フラグを「１」にセットし、無効設定を解除する場合に、無効フラグを「０」にリセットする。
【００４３】
タッチ入力が無効化されると、制御部４０は、デジタイザペン２０がホバリング圏外へ離脱したか否かを監視する（Ｓ２４）。制御部４０は、デジタイザセンサ３４から座標信号が出力されなくなると、デジタイザペン２０がホバリング圏内から外れたと判定する。デジタイザペン２０がホバリング圏外に離脱すると（Ｓ２４：ＹＥＳ）、制御部４０は、予め定められた猶予時間を計測するために、タイマー４１を作動させる（Ｓ２５）。
【００４４】
次に、制御部４０は、デジタイザペン２０がホバリング圏内に復帰したか否か、および、計測時間が猶予時間に到達しタイマー４１がタイムアップしたか否かを監視する（Ｓ２６、Ｓ２７）
デジタイザペン２０がホバリング圏内に復帰することなくタイマー４１がタイムアップすると（Ｓ２６：ＮＯ→Ｓ２７:ＹＥＳ）、制御部４０は、無効設定を解除して、再び、タッチ入力を有効化する（Ｓ２１）。
【００４５】
一方、タイマー４１がタイムアップする前にデジタイザペン２０がホバリング圏内に復帰すると（Ｓ２７：ＮＯ→Ｓ２６:ＹＥＳ）、制御部４０は、タイマー４１を停止しリセットする（Ｓ２８）。そして、制御部４０は、再び、デジタイザペン２０のホバリング圏外への離脱を監視する（Ｓ２４）。
【００４６】
図５（ａ）は、デジタイザペン２０による入力が行われる際に、タッチ入力が無効化される様子を示す図であり、図５（ｂ）は、デジタイザペン２０による入力が終了し、タッチ入力が有効化される様子を示す図である。
【００４７】
図５（ａ）のように、デジタイザペン２０により文字等を筆記するために、デジタイザペン２０が入力受付面３１ａに近づけられると、デジタイザペン２０がホバリング圏内に侵入し、タッチ入力が無効化される。その後、図５（ｂ）のように、デジタイザペン２０による文字等の筆記が終了し、デジタイザペン２０が入力受付面３１ａから遠ざけられると、デジタイザペン２０がホバリング圏外に離脱する。このとき、直ちにタッチ入力は有効化されない。しかしながら、既にデジタイザペン２０により文字等が終了しており、その後、デジタイザペン２０が再び入力受付面３１ａに近づけられることないため、猶予時間が経過して、タッチ入力が有効化される。
【００４８】
図６および図７は、ユーザが、デジタイザペン２０による筆記を終える意図なく、デジタイザペン２０を、一時的に入力受付面３１ａから遠ざける局面について説明するための図である。図６は、ユーザが筆記する位置を変えようとして、一時的にデジタイザペン２０を入力受付面３１ａから遠ざける局面を示し、図７は、ユーザが、考え事を行うために、一時的にデジタイザペン２０を入力受付面３１ａから遠ざける局面を示す。
【００４９】
図６に示す局面では、ユーザは、一旦、デジタイザペン２０を入力受付面３１ａから遠ざけた後、次の筆記位置までデジタイザペン２０を移動させると、再び、デジタイザペン２０を入力受付面３１ａに近づける。このデジタイザペン２０の移動の間にタッチ入力が有効化されてしまうと、この間に入力受付面３１ａに触れた手により誤ったタッチ入力が有効に受け付けられてしまう虞がある。
【００５０】
一方で、ユーザがデジタイザペン２０による筆記を終えてデジタイザペン２０を入力受付面３１ａから遠ざけた場合には、次のタッチ入力のため、できるだけ速やかにタッチ入力が有効化されることが望ましい。
【００５１】
図６に示す局面の場合、筆記位置の移動に要する時間は僅かであり、ホバリング圏外に離脱したデジタイザペン２０がホバリング圏内に復帰するまでの時間は、通常、１秒に満たない程度の短い時間になると想定される。よって、このような局面に対処すするとともに、ユーザがデジタイザペン２０による筆記を終えた後できるだけ速やかにタッチ入力を行えるようにするためには、猶予時間を、１秒以上且つ５秒以内の時間、たとえば、１秒の時間に設定することが望ましい。
【００５２】
図６のようにユーザが筆記位置を変える局面が生じた場合、筆記位置の移動に際してホバリング圏外に離脱したデジタイザペン２０は、タイマー４１の計測時間が猶予時間（１秒）に到達する前にホバリング圏内に復帰する。よって、ユーザがデジタイザペン２０を次の筆記位置まで移動させている間、タッチ入力が無効化のまま維持される。これにより、筆記位置の移動の間に入力受付面３１ａに触れた手により誤ったタッチ入力が有効に受け付けられてしまうことを防止できる。
【００５３】
図７に示す局面では、ユーザは、一旦、デジタイザペン２０を入力受付面３１ａから遠ざけた後、考え事を行い、それを終えると次の筆記のために、再び、デジタイザペン２０を入力受付面３１ａに近づける。ユーザが考え事を行っている間にタッチ入力が有効化されてしまうと、この間に入力受付面３１ａに触れた手により誤ったタッチ入力が有効に受け付けられてしまう虞がある。
【００５４】
図７に示す局面の場合、考え事に要する時間は、筆記位置の移動に要する時間に比べて長い時間となり、ホバリング圏外に離脱したデジタイザペン２０がホバリング圏内に復帰するまでの時間は、通常、１０秒を超える程度の長い時間になると想定される。よって、図６の局面のみならず、図７の局面にも対処するためには、猶予時間を、１０秒以上の時間、たとえば、２０秒の時間に設定することが望ましい。
【００５５】
図７のようにユーザが筆記中に考え事をする局面が生じた場合、考え事を行うに際してホバリング圏外に離脱したデジタイザペン２０は、タイマー４１の計測時間が猶予時間（２０秒）に到達する前にホバリング圏内に復帰する。よって、考え事を行っている間、タッチ入力が無効化のまま維持される。これにより、考え事の間に入力受付面３１ａに触れた手により誤ったタッチ入力が有効に受け付けられてしまうことを防止できる。
【００５６】
なお、猶予時間を１０秒以上の時間に設定した場合、図７に示す、ユーザが筆記中に考え事をする局面に対処できる反面、ユーザがデジタイザペン２０による筆記を終えるに際して速やかにタッチ入力を有効化させることは難しくなる。よって、誤操作の防止と操作性の向上の何れを優先させるかを考慮して、猶予時間を設定することが望ましい。
【００５７】
＜実施形態の効果＞
以上、本実施形態によれば、以下の効果が奏される。
【００５８】
デジタイザペン２０による筆記に際してデジタイザペン２０が入力受付面３１ａに接近すると、入力受付面３１ａへのタッチ入力が無効化されるので、デジタイザペン２０による筆記の際にデジタイザペン２０を握った手による誤ったタッチ入力を有効に受け付けてしまう、という不具合を防止できる。
【００５９】
さらに、ユーザが、デジタイザペン２０による筆記を終える意図なく、デジタイザペン２０を一時的に入力受付面３１ａから遠ざけるような局面が生じた場合に、タッチ入力が有効化されることを防止でき、デジタイザペン２０による筆記の際にデジタイザペン２０を握った手による誤ったタッチ入力を有効に受け付けてしまう、という不具合を一層防止できる。
【００６０】
以上、本発明の実施形態について説明したが、本発明は、上記実施形態によって何ら制限されるものではなく、また、本発明の実施形態も、上記以外に種々の変更が可能である。以下、各種の変更例について説明する。
【００６１】
＜変更例１＞
図８は、変更例１に係る、タッチ入力の無効設定・解除処理を示すフローチャートである。本変更例の無効設定・解除処理では、図４に示す上記実施形態の無効設定・解除処理に比較して、Ｓ３１の処理が付加されている。なお、図８のフローチャートでは、Ｓ２３以前の処理の記載が省略されている。
【００６２】
上記実施形態では、デジタイザペン２０がホバリング圏外に離脱したままタイマー４１がタイムアップすると、無効設定が解除され、タッチ入力が有効化された。
【００６３】
これに対し、本変更例では、図８に示すように、制御部４０は、デジタイザペン２０がホバリング圏外に離脱したままタイマー４１がタイムアップしても（Ｓ２６：ＮＯ→Ｓ２７：ＹＥＳ）、そのときにタッチパッド３３がタッチ入力を受け付けていれば（Ｓ３１：ＹＥＳ）、無効設定を解除せず、タッチ入力を有効化しない。この場合、制御部４０は、タイマー４１を停止しリセットし（Ｓ２８）、再び、デジタイザペン２０のホバリング圏外への離脱を監視する（Ｓ２４）。
【００６４】
猶予時間が、１秒以上且つ５秒以下の時間に設定された場合、図７のようにユーザが筆記中に考え事をしたとき、その途中でタイマー４１がタイムアップし、タッチ入力が有効化される虞がある。また、猶予時間が、１０秒以上に設定された場合であっても、考え事の時間が長くなれば、やはり、途中でタイマー４１がタイムアップしタッチ入力が有効化される虞がある。
【００６５】
図７にも示すように、ユーザが筆記中にデジタイザペン２０を握った状態で考え事をする場合は、デジタイザペン２０を握った手が依然として入力受付面３１ａに置かれていることが多いと考えられる。本変更例の構成では、タイマー４１がタイムアップしても、そのときにデジタイザペン２０を握った手が入力受付面３１ａに置かれた状態にあれば、置かれた手によるタッチ入力がタッチパッド３３で受け付けられるため、タッチ入力が有効化されない。
【００６６】
よって、本変更例によれば、ユーザが筆記中に考え事する局面において、誤ったタッチ入力が有効に受け付けられてしまう、という不具合を、一層防止することができる。
【００６７】
なお、本変更例の構成は、猶予時間を１秒以上且つ５秒以下の時間に設定した場合に採用されると、特に有用である。
【００６８】
＜変更例２＞
図９は、変更例２に係る、タッチ入力の無効設定・解除処理を示すフローチャートである。本変更例の無効設定・解除処理では、図４に示す上記実施形態の無効設定・解除処理に比較して、Ｓ３２の処理が付加されている。なお、図９のフローチャートでは、Ｓ２３以前の処理の記載が省略されている。
【００６９】
上記実施形態では、デジタイザペン２０がホバリング圏外に離脱したままタイマー４１がタイムアップしないと、無効設定が解除されず、タッチ入力が有効化されない。
【００７０】
これに対し、本変更例では、図９に示すように、制御部４０は、タイマー４１がタイムアップしたか否かの判定とともに、ユーザによる無効解除操作がなされたか否かの判定を行う（Ｓ３２）。たとえば、液晶表示部３２に表示される画面が、画面上部のステータスバーを含む場合に、ステータスバーの位置に対応する入力受付面３１ａの位置へのタッチ入力が無効解除操作とされ得る。あるいは、筐体１０の側面に、ボリュームキー等のハードキーが設けられている場合、ハードキーの押下が無効解除操作とされ得る。これらの場合、タッチパッド３３やハードキーが、無効解除操作のための操作部となる。
【００７１】
タイマー４１がタイムアップする前に無効解除操作がなされると（Ｓ２７：ＮＯ→Ｓ３２:ＹＥＳ）、制御部４０は、タッチ入力を有効化する（Ｓ２１）。
【００７２】
このように、本変更例によれば、ユーザは、デジタイザペン２０による筆記を終えた際、猶予時間の経過を待たなくとも、無効解除操作を行うことでタッチ入力を有効化できる。これにより、ユーザは、デジタイザペン２０による筆記を終えた後、速やかにタッチ入力に移ることができる。
【００７３】
なお、本変更例の構成は、図７に示すユーザが筆記中に考え事をする局面に対処するため猶予時間を１０秒以上の時間に設定した場合に採用されると、特に有用である。
【００７４】
＜その他の変更例＞
上記実施形態では、ペンを用いた入力が、電磁式のデジタイザペン２０とデジタイザセンサ３４により行われたが、他の方式の手書き入力デバイスにより行われても良い。また、上記実施形態では、タッチパッド３３は、静電容量式のタッチパッドとされたが、感圧式、光検出式等、他の方式のタッチパッドであっても良い。
【００７５】
また、上記実施形態では、タッチパッド３３がタッチ入力を検出すると、ハードウェア割り込みにより、座標信号および面積信号が、タッチパッド３３から制御部４０に送信された。しかしながら、これに限らず、制御部４０が一定間隔でタッチパッド３３に問い合わせを行うことにより、座標信号と面積信号が、タッチパッド３３から制御部４０に送信されても良い。
【００７６】
さらに、上記実施形態では、タッチ入力が無効化されている（無効設定されている）場合に、制御部４０は、タッチパッド３３が受け付けたタッチ入力を無視することにより、タッチ入力を無効にした。しかしながら、制御部４０は、タッチパッド３３がタッチ入力を受け付けないよう、タッチパッド３３を停止させることにより、タッチ入力を無効にするようにしてもよい。
【００７７】
さらに、上記実施形態では、デジタイザペン２０をデジタイザセンサ３４で検出可能な領域であるホバリング圏が所定の距離範囲とされ、ホバリング圏内にデジタイザペン２０が位置することに基づいて、タッチ入力の無効設定を行うとともに、ホバリング圏外にデジタイザペン２０が離脱すると、タイマー４１を作動させた。しかしながら、ホバリング圏よりも内側（入力受付面３１ａ側）に所定の距離範囲を設定するようにしてもよい。
【００７８】
さらに、上記変更例１および２は、適宜、組み合わせることができる。
【００７９】
この他、本発明の実施形態は、特許請求の範囲に示された技術的思想の範囲内において、適宜、種々の変更が可能である。
【符号の説明】
【００８０】
１  情報端末装置
２０  デジタイザペン（筆記具）
３０  液晶／入力モジュール
３１ａ  入力受付面
３２  液晶表示部
３３  タッチパッド（第１入力受付部）
３４  デジタイザセンサ（第２入力受付部）
４０  制御部
４１ａ  タイマー（計時部）
【図１】
2017091156.tif 000003
【図２】
2017091156.tif 000004
【図３】
2017091156.tif 000005
【図４】
2017091156.tif 000006
【図５】
2017091156.tif 000007
【図６】
2017091156.tif 000008
【図７】
2017091156.tif 000009
【図８】
2017091156.tif 000010
【図９】
2017091156.tif 000011